(57)【要約】      （修正有）【課題】設営に必要なロープの本数が少なくてすみ、ロープが斜めに張られることがなく、短時間でかつ容易に設営でき、天井の高さを自由に調整することができるタープを提供する。【解決手段】ナイロンフィルムからなる機密性の袋体２を形成する。袋体２はヘリウムガスが封入されて所定面積のマット状に形成されるようにする。この袋体２には少なくとも１本以上のアンカーロープ１６が取り付けられ、該アンカーロープ１６の端部が地面に固定される。そうすると袋体２が所定の高さに浮遊して天井が形成され、タープ１が構成される。なお、袋体２は複数個の部屋５、６、７に分割してもよい。【選択図】図１
0003223228.tif 000002
【実用新案登録請求の範囲】
【請求項１】
ナイロンフィルムの気密性の袋体からなり、該袋体は空気より分子量が小さいガスが封入されて所定面積のマット状に形成されていると共に少なくとも１本以上のアンカーロープが取り付けられ、該アンカーロープの端部が地面に固定され、それによって前記袋体が所定の高さにおいて浮遊して天井が形成されていることを特徴とするタープ。
【請求項２】
請求項１に記載のタープにおいて、前記袋体はガス注入口が設けられ、前記ガス注入口から前記ガスを封入したり排出できるようになっていることを特徴とするタープ。
【請求項３】
請求項１または２に記載のタープにおいて、前記袋体は内部が複数部屋に分割され、任意の部屋に前記ガスが封入されるようになっていることを特徴とするタープ。
【考案の詳細な説明】
【技術分野】
【０００１】
本考案は、屋外において日差しや降雨を遮るために設営されるタープに関するものである。
【背景技術】
【０００２】
タープテントと呼ばれることもあるタープは従来周知であり、キャンピング、バーベキュー等のアウトドアのレジャーにおいて日差しや降雨を遮るために広く利用されている。タープには色々な種類があり、立体的に縫製された布地とこの布地を支持する立体的な骨組みとからなるテント形のタープもあるし、１枚の布地とこれを支持する複数本の支柱つまりポールとからなるタープもある。特許文献１に記載されているタープのように、これらの中間の形状からなるタープもある。さらには、特許文献２に記載されているように、布地の一方の端部を車両に接続し、他方の端部を支柱によって支持するタープも周知である。
【先行技術文献】
【特許文献】
【０００３】
【特許文献１】実用新案登録第３１６１２９８号公報
【特許文献２】特開平１０−２９２６７５号公報
【考案の概要】
【考案が解決しようとする課題】
【０００４】
タープは日差しや降雨を遮ることができるので、その下で快適に過ごすことができ優れている。しかしながら解決すべき課題も見受けられる。従来のタープは、支柱を立てたり布地を所定の形状に維持するためにロープが必要になる。ロープは支柱の先端や布地の端部に接続するようにし、その端部を地面に打ち込んだペグに接続する。そしてロープによってテンションを掛けるようにしてタープを自立させる。このようなロープは多数の本数が必要でありタープの周りに斜めに張り巡らされることになる。そうすると外からタープ内に入ったり、タープ内から外に移動するとき移動の妨げになる。あるいは移動時にロープに足が引っかかり転倒の危険もある。ロープが斜めに張られるので、気づきにくいからである。タープの下で作業等をする場合にはロープが作業の妨げになることもある。従来のタープには設営に時間がかかるという問題もある。タープはテントに比較すれば設営は容易であると言うことはできるが、支柱を立てたりロープを張ったりする必要があるので、その分だけ設営に時間を要する。急な降雨時等には可及的に短時間で設営したいが対応できない。設営に時間を要するので速やかなタープの移動が難しいく、日が傾く等してタープの日陰の位置が移動しても対応できないこともある。従来のタープは天井の高さを変えることができないという問題もある。タープの下で立った状態で作業する場合には天井の高さを高くしたいが、座った状態で飲食する場合等には天井の高さを低くしたい場合もある。従来のタープではこのような要求に応えることができない。
【０００５】
本考案は、上記したような従来の問題点あるいは課題を解決したタープを提供することを目的としている。具体的には、設営に必要なロープの本数が可及的に少なくてすみ、ロープが斜めに張られることがなく、短時間でかつ容易に設営できると共に容易に移動ができ、そして天井の高さを自由に調整することができ、それによってアウトドアのレジャーだけでなく、他の用途、例えば道路工事、庭仕事等の屋外での作業においても利用できるタープを提供することを目的としている。
【課題を解決するための手段】
【０００６】
本考案は、上記目的を達成するために、空気より分子量が小さいガスが封入されて浮遊する風船型のタープとして構成する。すなわち、本考案は、ナイロンフィルムからなる機密性の袋体を形成する。袋体は、例えばヘリウムガスが封入されて所定面積のマット状に形成されるようにする。この袋体には少なくとも１本以上のアンカーロープが取り付けられ、該アンカーロープの端部が地面に固定される。そうすると袋体が所定の高さに浮遊して天井が形成される。つまりタープが構成される。
【０００７】
すなわち、請求項１に記載の考案は、上記目的を達成するために、ナイロンフィルムの気密性の袋体からなり、該袋体は空気より分子量が小さいガスが封入されて所定面積のマット状に形成されていると共に少なくとも１本以上のアンカーロープが取り付けられ、該アンカーロープの端部が地面に固定され、それによって前記袋体が所定の高さにおいて浮遊して天井が形成されていることを特徴とするタープとして構成される。
請求項２に記載の考案は請求項１に記載のタープにおいて、前記袋体はガス注入口が設けられ、前記ガス注入口から前記ガスを封入したり排出できるようになっていることを特徴とするタープとして構成される。
請求項３に記載の考案は、請求項１または２に記載のタープにおいて、前記袋体は内部が複数部屋に分割され、任意の部屋に前記ガスが封入されるようになっていることを特徴とするタープとして構成される。
【考案の効果】
【０００８】
以上のように、本考案によると、ナイロンフィルムの気密性の袋体からなり、該袋体は空気より分子量が小さいガスが封入されて所定面積のマット状に形成されていると共に少なくとも１本以上のアンカーロープが取り付けられ、該アンカーロープの端部が地面に固定され、それによって袋体が所定の高さにおいて浮遊して天井が形成されている。そうすると本考案のタープにおいてはアンカーロープは１本だけで済ますことも可能である。またアンカーロープは実質的に垂直になり斜めに張られることはない。そうするとタープの中に入ったりタープから出るときの移動の妨げになることもないし、タープの下で作業するときの妨げになることもない。そしてアンカーロープの長さを調整すれば天井の高さを調整できるという優れた効果も得られる。さらには、袋体は空気より分子量が小さいガスによって浮遊し、これをアンカーロープでつなぎ止めるだけでいいので、タープを容易にかつ短時間で設営することができる。請求項２に記載の考案によると、袋体はガス注入口が設けられ、前記ガス注入口からガスを封入したり排出できるようになっている。そうするとタープを使用しないときには袋体はガスを抜いて丸めて保管することができ、収納性が高いという効果が得られる。さらに請求項３に記載の考案によると、袋体は内部が複数部屋に分割され、任意の部屋にガスが封入されるようになっている。そうすると、ガスを封入する部屋の個数を調整することによって、タープの天井の面積を調整することができる。
【図面の簡単な説明】
【０００９】
【図１】本考案の実施の形態に係るタープの斜視図である。
【図２】本考案の実施の形態に係るタープを構成する袋体の上面図である
【図３】本考案の実施の形態に係るタープの斜視図である。
【考案を実施するための形態】
【００１０】
以下、本考案の実施の形態に係るタープ１を説明する。本実施の形態に係るタープ１は、図１、図２に示されているように、長方形状を呈するナイロンフィルムからなる袋体２からなる。本実施の形態においては袋体２は内部が３個の部屋すなわち第１の部屋５、第２の部屋６、第３の部屋７に分割されている。袋体２には第１〜３の部屋５、６、７に対応して第１〜３のガス注入口１０、１１、１２が設けられ、各部屋に独立して空気より分子量が小さいガス、例えばヘリウムガスを注入できるようになっている。袋体２には長方形の各頂角の位置にリング１４、１４、…が設けられており、任意のリング１４、１４、…にロープを取り付けることができるようになっている。
【００１１】
本実施の形態に係るタープ１は、袋体２に空気より分子量が小さいガスを注入して形成する。空気は分子量が２８．９６６であり、分子量がこれより小さいガスには、分子量が４．００３のヘリウム、分子量が２．０１６の水素、分子量が１７．０３のアンモニア、分子量が１６．０４のメタン等が知られている。これらは空気より軽いので袋体２に封入すると袋体２が浮き上がる。これらの分子量が小さいガスは、いずれも利用可能であるが、実用上において最適なガスであるヘリウムガスを例として、以下説明する。図１に示されている例では、第１〜３のガス注入口１０、１１、１２からヘリウムガスを注入し、第１〜３の部屋５、６、７の全てにヘリウムガスが封入されている。ヘリウムガスが封入されると袋体２は長方形のマット状に形成される。ヘリウムガスは空気に比して比重が小さいので浮力が生じる。４個のリング１４、１４、…のうち、１個以上のリング１４にアンカーロープ１６を取り付ける。そしてアンカーロープ１６の端部に比較的重い大錘１８を取り付ける。そうすると大錘１８が地面に留まってアンカーロープ１６を地面に固定することができる。あるいはアンカーロープ１６の端部を地面に打ち込んだペグ１９に結びつけてアンカーロープ１６を地面に固定する。図１に示されている例においては、袋体２には長方形の対角の位置にある２個のリング１４、１４のそれぞれにアンカーロープ１６、１６が取り付けられ、１本のアンカーロープ１６は大錘１８によって、他の１本のアンカーロープ１６はペグ１９によって地面に固定されている。このように固定されると、アンカーロープ１６、１６は実質的に垂直になり、袋体２は所定高さにおいて水平になる。つまり天井が形成される。すなわちタープ１が構成される。アンカーロープ１６、１６の長さを調整すればタープ１の天井高さを調整することができる。なお、上の説明ではアンカーロープ１６、１６は袋体２にヘリウムガスを封入した後にリング１４、１４に取り付けるようにしているが、少なくとも１本のアンカーロープ１６については、リング１４に対して予め固定的に設けられ、そしてこのアンカーロープ１６に大錘１８が固定的に設けられていることが好ましい。あるいは１本のアンカーロープ１６についてはリング１４を介さずに直接袋体２に固定されていてもよい。袋体２にヘリウムガスを封入したら浮力が生じるが、もしアンカーロープ１６が１本も取り付けられていない状態で誤って袋体２から手を離してしまうと、袋体２が浮遊して散逸してしまうからである。
【００１２】
袋体２の第１〜３の部屋５、６、７のうち、第１、２の部屋５、６のみにヘリウムガスを封入すると、図３に示されているように、袋体２は小面積のマット状に形成される。図に示されているように、２箇所のリング１４、１４にアンカーロープ１６、１６を取り付けて、それらの端部に大錘１８、１８を取り付ける。そうすると２本のアンカーロープ１６、１６によって地面に固定される。第１、２の部屋５、６から天井が構成され、第３の部屋７からは壁が構成される。タープ１が完成する。タープ１のバランスを安定させるため、空いているリング１４、１４に短ロープ２１を取り付けて、この短ロープ２１に十分に軽い小錘２２を取り付けてもよい。小錘２２は軽いので地面に達することはなく、タープ１は水平に浮遊した状態で維持される。小錘２２の重さを調整することによってタープ１のバランスを調整することができる。
【００１３】
本実施の形態に係るタープ１は色々な変形が可能である。例えばアンカーロープ１６は、手すり等の構造物に取り付けてもいいし、木の枝に取り付けてもよい。さらには、袋体２は長方形状に形成する必要はなく、６角形、８角形等の多角形、円盤状等、色々な形状に形成してもよい。
【符号の説明】
【００１４】
１    タープ                  ２    袋体
５    第１の部屋              ６    第２の部屋
７    第３の部屋            １０    第１のガス注入口
１１    第２のガス注入口      １３    第３のガス注入口
１４    リング                １６    アンカーロープ
１８    大錘                  １９    ペグ
２１    短ロープ              ２２    小錘
【図１】
0003223228.tif 000003
【図２】
0003223228.tif 000004
【図３】
0003223228.tif 000005